(57)【特許請求の範囲】
【請求項１】
空洞部を設けた外側リング体と内側リング体からなる身飾品の製造方法であって、前記外側リング体を作る円筒形状の外側リング製造体と前記内側リング体を作る円筒形状の内側リング製造体を用意し、前記外側リング製造体の内周面中間部を切削して内周面中間部に第１窪み部を形成して前記外側リング体を製造し、前記内側リング製造体の外周面中間部を切削して外周面中間部に第２窪み部を形成して前記内側リング体を製造し、前記外側リング体に内側リング体を挿入して内側リング体に押圧シャフトを圧入することにより内側リング体と外側リング体を圧着して空洞部を設けることを特徴とする外側リング体と内側リング体からなる空洞部を設けた身飾品の製造方法。
【請求項２】
空洞部を設けた外側リング体と内側リング体からなる身飾品の製造方法であって、前記外側リング体を作る円筒形状の外側リング製造体と前記内側リング体を作る円筒形状の内側リング製造体を用意し、前記外側リング製造体の内周面中間部を旋盤で切削して内周面中間部に第１窪み部を形成して前記外側リング体を製造し、前記内側リング製造体の外周面中間部を旋盤で切削して外周面中間部に第２窪み部を形成して前記内側リング体を製造し、前記外側リング体に内側リング体を挿入して内側リング体に押圧シャフトを圧入することにより内側リング体と外側リング体を圧着して空洞部を設けることを特徴とする外側リング体と内側リング体からなる空洞部を設けた身飾品の製造方法。
【請求項３】
空洞部を設けた外側リング体と内側リング体からなる身飾品の製造方法であって、前記外側リング体を作る円筒形状の外側リング製造体と前記内側リング体を作る円筒形状の内側リング製造体を用意し、前記外側リング製造体の内周面中間部を切削して内周面中間部に第１窪み部を形成すると共に外側リング製造体の内周面両端部に第１鍔部を形成して前記外側リング体を製造し、前記内側リング製造体の外周面中間部を切削して外周面中間部に第２窪み部を形成すると共に内側リング製造体の外周面両端部に第２鍔部を形成して前記内側リング体を製造し、前記外側リング体に内側リング体を挿入して内側リング体にテーパー状の押圧シャフトを圧入することにより内側リング体と外側リング体を圧着して空洞部を設けることを特徴とする外側リング体と内側リング体からなる空洞部を設けた身飾品の製造方法。
【請求項４】
空洞部を設けた外側リング体と内側リング体からなる身飾品の製造方法であって、前記外側リング体を作る円筒形状の外側リング製造体と前記内側リング体を作る円筒形状の内側リング製造体を用意し、前記外側リング製造体の内周面中間部を旋盤で切削して内周面中間部に第１窪み部を形成すると共に外側リング製造体の内周面両端部に第１鍔部を形成して前記外側リング体を製造し、前記内側リング製造体の外周面中間部を旋盤で切削して外周面中間部に第２窪み部を形成すると共に内側リング製造体の外周面両端部に第２鍔部を形成して前記内側リング体を製造し、前記外側リング体に内側リング体を挿入して内側リング体にテーパー状の押圧シャフトを圧入することにより内側リング体と外側リング体を圧着して空洞部を設けることを特徴とする外側リング体と内側リング体からなる空洞部を設けた身飾品の製造方法。
【請求項５】
空洞部を設けた外側リング体と内側リング体からなる身飾品の製造方法であって、前記外側リング体を作る円筒形状の外側リング製造体と前記内側リング体を作る円筒形状の内側リング製造体を用意し、前記外側リング製造体の内周面中間部を旋盤で切削して内周面中間部に第１窪み部を形成することにより外側リング製造体の内周面両端部に第１鍔部を形成すると共に外側リング製造体の外周面に意匠を施して前記外側リング体を製造し、前記内側リング製造体の外周面中間部を旋盤で切削して外周面中間部に第２窪み部を設け内側リング製造体の外周面両端部に第２鍔部を形成すると共に第２鍔部の内側に係止段部を形成して前記内側リング体を製造し、前記外側リング体に内側リング体を挿入して内側リング体にテーパー状の押圧シャフトを圧入することにより内側リング体と外側リング体を圧着して空洞部を設けることを特徴とする外側リング体と内側リング体からなる空洞部を設けた身飾品の製造方法。
【発明の詳細な説明】
【技術分野】
【０００１】
本発明は、指輪等の身飾品の製造方法に関し、詳しくは外側リング体と内側リング体からなる空洞部を設けた身飾品の製造方法に関する。
【背景技術】
【０００２】
プラチナや金等の高価な貴金属によって作られる指輪等の身飾品は高価なプラチナや金等の貴金属を使用するため価格が高くなる。
そこで、このような指輪等の身飾品の価格を抑えるために、身飾品の内部を空洞にして貴金属の使用量を少なくすることにより価格を抑えた空洞部が設けられた身飾品が提案されている。
ところで、従来、空洞部を設けた指輪を製造する場合は、指輪を構成する外側リング体と内側リング体をそれぞれ金型で形成し、外側リング体に内側リング体を挿入して外側リング体と内側リング体をロウヅケして外側リング体と内側リング体を一体にして製造している。
しかし、上記製造方法では指輪の形状やサイズ毎に外側リング体を製造する金型と内側リング体を製造する金型を用意しなければならないため、金型の製造費用が高くなり、製品の価格に転化されるという不具合がある。
また、金型で外側リング体と内側リング体を製造して指輪をする場合は大量生産には向いているが、多品種、小ロットの指輪を生産する場合には不向きである。
【発明の開示】
【発明が解決しようとする課題】
【０００３】
本発明は、上記事実に鑑みなされたものであり、製造費用を抑えることにより製品価格を抑えることができると共に多品種、小ロットの身飾品の製造にも適した外側リング体と内側リング体からなる空洞部を設けた身飾品の製造方法を提供するものである。
【課題を解決するための手段】
【０００４】
請求項１の発明は、空洞部を設けた外側リング体と内側リング体からなる身飾品の製造方法であって、前記外側リング体を作る円筒形状の外側リング製造体と前記内側リング体を作る円筒形状の内側リング製造体を用意し、前記外側リング製造体の内周面中間部を切削して内周面中間部に第１窪み部を形成して前記外側リング体を製造し、前記内側リング製造体の外周面中間部を切削して外周面中間部に第２窪み部を形成して前記内側リング体を製造し、前記外側リング体に内側リング体を挿入して内側リング体に押圧シャフトを圧入することにより内側リング体と外側リング体を圧着して空洞部を設けることを特徴としている。
請求項２の発明は、空洞部を設けた外側リング体と内側リング体からなる身飾品の製造方法であって、前記外側リング体を作る円筒形状の外側リング製造体と前記内側リング体を作る円筒形状の内側リング製造体を用意し、前記外側リング製造体の内周面中間部を旋盤で切削して内周面中間部に第１窪み部を形成して前記外側リング体を製造し、前記内側リング製造体の外周面中間部を旋盤で切削して外周面中間部に第２窪み部を形成して前記内側リング体を製造し、前記外側リング体に内側リング体を挿入して内側リング体に押圧シャフトを圧入することにより内側リング体と外側リング体を圧着して空洞部を設けることを特徴としている。
請求項３の発明は、空洞部を設けた外側リング体と内側リング体からなる身飾品の製造方法であって、前記外側リング体を作る円筒形状の外側リング製造体と前記内側リング体を作る円筒形状の内側リング製造体を用意し、前記外側リング製造体の内周面中間部を切削して内周面中間部に第１窪み部を形成すると共に外側リング製造体の内周面両端部に第１鍔部を形成して前記外側リング体を製造し、前記内側リング製造体の外周面中間部を切削して外周面中間部に第２窪み部を形成すると共に内側リング製造体の外周面両端部に第２鍔部を形成して前記内側リング体を製造し、前記外側リング体に内側リング体を挿入して内側リング体にテーパー状の押圧シャフトを圧入することにより内側リング体と外側リング体を圧着して空洞部を設けることを特徴としている。
請求項４の発明は、空洞部を設けた外側リング体と内側リング体からなる身飾品の製造方法であって、前記外側リング体を作る円筒形状の外側リング製造体と前記内側リング体を作る円筒形状の内側リング製造体を用意し、前記外側リング製造体の内周面中間部を旋盤で切削して内周面中間部に第１窪み部を形成すると共に外側リング製造体の内周面両端部に第１鍔部を形成して前記外側リング体を製造し、前記内側リング製造体の外周面中間部を旋盤で切削して外周面中間部に第２窪み部を形成すると共に内側リング製造体の外周面両端部に第２鍔部を形成して前記内側リング体を製造し、前記外側リング体に内側リング体を挿入して内側リング体にテーパー状の押圧シャフトを圧入することにより内側リング体と外側リング体を圧着して空洞部を設けることを特徴としている。
請求項５の発明は、空洞部を設けた外側リング体と内側リング体からなる身飾品の製造方法であって、前記外側リング体を作る円筒形状の外側リング製造体と前記内側リング体を作る円筒形状の内側リング製造体を用意し、前記外側リング製造体の内周面中間部を旋盤で切削して内周面中間部に第１窪み部を形成することにより外側リング製造体の内周面両端部に第１鍔部を形成すると共に外側リング製造体の外周面に意匠を施して前記外側リング体を製造し、前記内側リング製造体の外周面中間部を旋盤で切削して外周面中間部に第２窪み部を設け内側リング製造体の外周面両端部に第２鍔部を形成すると共に第２鍔部の内側に係止段部を形成して前記内側リング体を製造し、前記外側リング体に内側リング体を挿入して内側リング体にテーパー状の押圧シャフトを圧入することにより内側リング体と外側リング体を圧着して空洞部を設けることを特徴としている。
【発明の効果】
【０００５】
本発明の外側リング体と内側リング体からなる空洞部を設けた身飾品の製造方法は、金型を使用しなくても空洞部を設けた身飾品を製造することができるので、身飾品の価格を抑えることができるという優れた効果を有する。
また、本発明の外側リング体と内側リング体からなる空洞部を設けた身飾品の製造方法は、多品種、小ロットの身飾品の製造にも適するという優れた効果を有する。
【発明を実施するための最良の形態】
【０００６】
発明を実施するために最良の形態の例として以下のような実施例を示す。
【実施例１】
【０００７】
図１〜図５には本発明に係る外側リング体と内側リング体からなる空洞部を設けた身飾品の製造方法の一実施例が示されている。なお、この実施例では身飾品としての指輪を製造する場合を例にして説明する。
図１及び図２に示される本発明で空洞部を設けた指輪１０を製造する場合は、まず、図３に示されるように外側リング体１２（図１参照）を作る円筒形状の外側リング製造体１４と、内側リング体１６（図１参照）を作る円筒形状の内側リング製造体１８を、それぞれ用意する。この外側リング製造体１４の幅寸法Ｗ１は内側リング製造体１８の幅寸法Ｗ２より僅かに小さく設定されている。また、前記外側リング製造体１４と内側リング製造体１８は共に貴金属のプラチナで形成されている。
そして、図３及び図４に示されるように前記外側リング製造体１４の内周面１４Ａの中間部を旋盤（図示せず）で切削して、内周面１４Ａの中間部に第１窪み部２０を形成する。これにより前記外側リング製造体１４の内周面１４Ａの両端部には第１鍔部２２，２２が形成される。また、前記外側リング製造体１４の外周面１４Ｂを旋盤で切削して中間部が盛り上がるような意匠を形成する。
これにより、前記外側リング製造体１４から図４に示されるような外側リング体１２が製造される。
また、図３及び図４に示されるように、前記内側リング製造体１８の外周面１８Ａの中間部を旋盤（図示せず）で切削して、外周面１８Ａの中間部に第２窪み部２４を形成する。これにより前記内側リング製造体１８の外周面１８Ａの両端部には第２鍔部２６，２６が形成される。なお、前記第２鍔部２６，２６の内側に係止段部２８，２８(図２参照)をそれぞれ形成することにより前記内側リング製造体１８から内側リング体１６が製造される。
そして、図５に示されるように、前記外側リング体１２に内側リング体１６を挿入して内側リング体１６にテーパー状の押圧シャフト３０を挿入すると共にプレス機（図示せず）で押圧シャフト３０の端面３０Ａに圧力をかける。
すると前記内側リング体１６の第２鍔部２６，２６の係止段部２８に前記外側リング体１２の第１鍔部２２，２２が係止すると共に第２鍔部２６，２６が第１鍔部２２，２２を挟んだ状態で内側リング体１６が外側リング体１２に圧着し、外側リング体１２と内側リング体１６の間には空洞部３２が形成される。
これにより、図１及び図２に示される前記空洞部が設けられた指輪１０が製造が終了する。
従って、本発明は金型を用いないで外側リング体１２と内側リング体１６を製造するので、製品である空洞部を設けた指輪１０の製造価格を抑えることにより製品価格も抑えることができる。
また、本発明は外側リング製造体１４を切削して外側リング体１２を製造し、内側リング製造体１８を切削して内側リング体１６を製造するので、多品種、小ロットの身飾品の製造に適している。
なお、空洞部を設けた指輪１０の内部には空洞部３２が形成されているので、使用するプラチナの使用量を抑えることができるので、この点においても製品価格を抑えることができる。
【０００８】
なお、実施例では身飾品として指輪を製造する場合を例にして説明したが、身飾品は指輪に限定されるものではなく、例えばバングル等、他の身飾品を製造してもよいことは勿論である。
また、実施例では前記外側リング製造体１４の外周面１４Ｂを旋盤で切削して外側リング体１２の外周面の中間部が盛り上がるような意匠を外側リング体１２に形成したが、前記外側リング体１２の外周面の意匠は他の形状、模様等でもよいし、あるいは全く意匠を施さなくてもよいことは勿論である。
なお、実施例では前記外側リング製造体１４及び前記内側リング製造体１８を切削して肉厚が薄くなるようにしたが、前記外側リング製造体１４及び前記内側リング製造体１８の肉厚は実施例よりも薄くても厚くてもよいことは勿論である。
【図面の簡単な説明】
【０００９】
【図１】実施例の外側リング体と内側リング体からなる空洞部を設けた身飾品の製造方法で製造した指輪の斜視図である。
【図２】実施例の外側リング体と内側リング体からなる空洞部を設けた身飾品の製造方法で製造した指輪の縦断面図である。
【図３】実施例の外側リング体と内側リング体からなる空洞部を設けた身飾品の製造方法の工程図である。
【図４】実施例の外側リング体と内側リング体からなる空洞部を設けた身飾品の製造方法の工程図である。
【図５】実施例の外側リング体と内側リング体からなる空洞部を設けた身飾品の製造方法の工程図である。
【符号の説明】
【００１０】
１０    空洞部を設けた指輪
１２    外側リング体
１４    外側リング製造体
１６    内側リング体
１８    内側リング製造体
２０    第１窪み部
２２    第１鍔部
２４    第２窪み部
２６    第２鍔部
２８    係止段部
３０    押圧シャフト
３２    空洞部
【図１】
0004722591.tif 000002
【図２】
0004722591.tif 000003
【図３】
0004722591.tif 000004
【図４】
0004722591.tif 000005
【図５】
0004722591.tif 000006